(57)【要約】【課題】  カラースキャナなどにおいて色むらなどを完全に除去できる放電灯の点灯装置を提供すること。【解決手段】  直流電源と、この直流電源に接続され電圧を昇圧するチョッパ回路と、このチョッパ回路に、一次側コイルの中点と２次側コイルの一端を接続されたトランスと、このトランスの一次側コイルの両端に各々出力端子を接続された一対のスイッチング素子と、この一対のスイッチング素子をプッシュプル駆動制御する制御手段と、外部から入力される所定周期のパルスによりトリガされ、所定パルス幅の期間のみ前記一対のスイッチング素子を停止させる入力制御手段とを有して成る。【選択図】図１
2006278254.tif 000002
【特許請求の範囲】
【請求項１】
直流電源と、
この直流電源に接続され電圧を昇圧するチョッパ回路と、
このチョッパ回路に、一次側コイルの中点と２次側コイルの一端を接続されたトランスと、
このトランスの一次側コイルの両端に各々出力端子を接続された一対のスイッチング素子と、
この一対のスイッチング素子をプッシュプル駆動制御する制御手段と、
外部から入力される所定周期のパルスによりトリガされ、所定パルス幅の期間のみ前記一対のスイッチング素子を停止させる入力制御手段と、
を有して成ることを特徴とする放電灯の点灯装置。
【発明の詳細な説明】
【技術分野】
【０００１】
本発明は、カラースキャナなど原稿読取用として用いられる放電灯などを点灯させる点灯装置の改良に関する。
【背景技術】
【０００２】
一般に、カラースキャナにおける原稿読取のために、原稿をむらなく白色光で照射するために蛍光ランプ（放電灯）を用いられることが多い。
【０００３】
このような装置では、受光センサからの受光信号を受信して蛍光ランプを点灯すると、この点灯のための駆動信号の位相がずれることにより、赤、緑、青の蛍光体に対する信号が異なるので、白色光にならず色むらが生ずることがある。この問題点を解決するために受光センサからの受光信号に同期した駆動周期で、蛍光ランプを点灯させることにより色むらを防止する点灯装置が知られている（特許文献１参照）。
【０００４】
また、この点灯装置において、調光を目的として制御回路に遅延回路を設けた点灯装置も知られている。
【０００５】
しかし、このような点灯装置では、外部から読み取り周期に同期した信号を入力し放電灯を点灯させるが、外部から加える信号が点灯回路の阪神周波数の１パルス分の時間より短い時間しか発振を停止できない信号の場合、受光周期毎のリセットがかからなかったり、受光周期内の発振パルス数の変動などによって、色むらなどが生じ、画像に悪影響を与えることがあった。
【特許文献１】特開平１１−３１２５９６号公報
【特許文献２】特開２００１−１１０５８７号公報
【発明の開示】
【発明が解決しようとする課題】
【０００６】
本発明は上記のような点灯装置の従来の問題点にかんがみてなされたもので、確実に制御パルスをリセットすることができ、したがってカラースキャナなどにおいて色むらなどを完全に除去できる放電灯の点灯装置を提供することを目的とする。
【課題を解決するための手段】
【０００７】
本発明の請求項１によれば、直流電源と、この直流電源に接続され電圧を昇圧するチョッパ回路と、このチョッパ回路に、一次側コイルの中点と２次側コイルの一端を接続されたトランスと、このトランスの一次側コイルの両端に各々出力端子を接続された一対のスイッチング素子と、この一対のスイッチング素子をプッシュプル駆動制御する制御手段と、外部から入力される所定周期のパルスによりトリガされ、所定パルス幅の期間のみ前記一対のスイッチング素子を停止させる入力制御手段とを有して成ることを特徴とする放電灯の点灯装置を提供する。
【発明の効果】
【０００８】
本発明によれば、カラースキャナなどにおいて色むらなどを完全に除去できる放電灯の点灯装置が得られる。
【発明を実施するための最良の形態】
【０００９】
以下、本発明の実施形態について図面を用いて説明する。図１に本発明一実施形態の構成例を示す。
【００１０】
この点灯回路は、直流電源Ｄと、この直流電源の電圧を昇圧するチョッパ回路１１と、このチョッパ回路１１の出力を一次側中点タップと二次側の一方の端子に供給されるトランスＴと、受光パルスを入力する入力端子をベースに供給されエミッタは接地されたｎｐｎ型のトランジスタＱ１と、このトランジスタＱ１のコレクタに接続されたｐｎｐ型のトランジスタＱ２と、このトランジスタＱ２のエミッタにベースを接続されエミッタは接地されたｎｐｎ型のトランジスタＱ３と、このトランジスタＱ３のベースとアース間に接続されたコンデンサＣ１と、トランジスタＱ３のコレクタとアース間に接続されたコンデンサＣ２と、上記トランジスタＱ２のコレクタ及びトランジスタＱ３のコレクタに接続されたプッシュプル回路制御ＩＣ１２と、このプッシュプル回路制御ＩＣ１２とアース間に接続された抵抗Ｒ１と、上記トランスＴの一次側両端にドレインを接続されると共にソースを接地され、プッシュプル回路制御ＩＣ１２によりプッシュプル制御される電界効果トランジスタＦＥＴ１，ＦＥＴ２とから成る。図示してないが、出力端子ＯＵＴ１，ＯＵＴ２には放電灯を含む負荷回路が接続される。電界効果トランジスタＦＥＴ１，ＦＥＴ２はプッシュプル回路制御ＩＣ１２によりプッシュプル駆動制御される。
【００１１】
プッシュプル回路の発振周波数は、図１の回路における抵抗Ｒ１とコンデンサＣ２の時定数により決定される。抵抗Ｒ１が大で、コンデンサＣ２が大のときには、時定数が大きくなり、図２（ｄ）に示す三角波の傾きがなだらかになり、周波数は低くなる。逆に抵抗Ｒ１の値が小、コンデンサＣ２の値が小であると、時定数が小さくなって、三角波の傾くが急峻になり、周波数が高くなる。上記のように決定された周波数の信号が電界効果トランジスタＦＥＴ１，ＦＥＴ２を駆動するので、これらのトランジスタから交互に出力される。そのため回路の周波数は抵抗Ｒ１とコンデンサＣ２により決定された周波数の１／２になる。
【００１２】
図２の波形図を用いて上記点灯装置の動作を説明する。図１に示す入力端子ＩＮ１には、図２（ａ）に示すような、受光パルスが入力される。この入力信号により、時刻ｔ１でトランジスタＱ１がオンの状態となる。これによりトランジスタＱ２がオンの状態となり（図２（ｂ））、Ｑ２のエミッタには図２（ｃ）に示す信号が発生する。
【００１３】
トランジスタＱ３もオンとなるが、この後、時刻ｔ３でトランジスタＱ３はオフとなる。このため、トランジスタＱ３のコレクタの電圧は図２（ｄ）に示すように、トランジスタＱ３がオンとなっている期間だけ出力のパルスが発生しない。
【００１４】
このように、この実施形態では、出力パルスの幅は入力端子ＩＮ１に入力される受光パルスの幅に依存しないので、確実にリセットをかけることができる。
【００１５】
上記実施形態では、トランスＴの一次側コイルの両端には、電界効果トランジスタが接続されていたが一般的には、スイッチング素子であればよい。
【００１６】
このように本発明によれば、外部からの信号（受光パルス）の幅にかかわらず、点灯装置内部ではパルス幅を自由に変えることが可能である。
【００１７】
また点灯装置の発振周波数にかかわらず、１パルスは発振を止めるような発振停止期間を設定することによって、発光波長が長い色に対して、確実にリセットを兼ねることができる。
【００１８】
したがって外部からに信号の全ての周期で発振周波数のパルス数を同じにすることが可能となり、赤、緑、青の各発光色を均一にできて、白色光とすることができ、色むらをなくすることができる。
【００１９】
上述の実施形態では、プッシュプル回路制御ＩＣの駆動は、３つのトランジスタＱ１，Ｑ２，Ｑ３によりなされていた。通常、同期信号入力パルスは同期をかける部分に電圧を加える方法が一般的である。しかし、図４に示すように入力パルスを反転させることにより、トランジスタを１個省略することが可能となる。すなわち、図３に示すように２つのトランジスタＱ６，Ｑ７により駆動するようにすることもできる。この場合には、図４に示すような負のパルスをトランジスタＱ６のベースにすればよい。これにより、回路を簡略化することができる。
【図面の簡単な説明】
【００２０】
【図１】本発明一実施形態による点灯装置の構成例を示す図。
【図２】本発明一実施形態による点灯装置の動作を説明するための図。
【図３】本発明の他の実施形態の点灯装置の一部の構成例を示す図。
【図４】図３に示す回路の入力に入れられるパルスの波形を示す図。
【符号の説明】
【００２１】
１１・・・チョッパ回路、
１２・・・プッシュプル回路制御ＩＣ、
Ｃ１，Ｃ２，Ｃ６，Ｃ７・・・コンデンサ、
Ｒ１，Ｒ６・・抵抗、
Ｑ１，Ｑ２，Ｑ３，Ｑ６，Ｑ７・・・トランジスタ、
ＦＥＴ１，ＦＥＴ２・・・電界効果トランジスタ、
ＯＵＴ１，ＯＵＴ２・・・出力端子、
ＩＮ１・・・入力端子、
【図１】
2006278254.tif 000003
【図２】
2006278254.tif 000004
【図３】
2006278254.tif 000005
【図４】
2006278254.tif 000006